(57)【要約】【課題】１セグ放送の字幕データおよび映像に含まれる文字情報の両方を視認可能で自動的に字幕データの表示位置を変更することができる携帯端末装置を提供することである。【解決手段】本発明は、１セグ放送の視聴が可能な携帯端末装置において、前記１セグ放送の映像データ内の文字情報を検出する文字情報検出手段と、前記文字情報検出手段によって前記映像データ内に文字があると判断した場合には、該映像データ内の文字の位置を避けた個所に字幕データの文字を表示するように映像を生成する表示生成手段とを備えたことを特徴とする。【選択図】図１
2009177502.tif 000002
【特許請求の範囲】
【請求項１】
１セグ放送の視聴が可能な携帯端末装置において、
前記１セグ放送の映像データ内の文字情報を検出する文字情報検出手段と、
前記文字情報検出手段によって前記映像データ内に文字があると判断した場合には、該映像データ内の文字の位置を避けた個所に字幕データの文字を表示するように映像を生成する表示生成手段と
を備えたことを特徴とする携帯端末装置。
【請求項２】
前記表示生成手段が、前記映像データの表示領域内に前記字幕データの文字を表示することを特徴とする請求項１に記載の携帯端末装置。
【請求項３】
前記表示生成手段が、前記映像データの表示領域外に前記字幕データの文字を表示することを特徴とする請求項１に記載の携帯端末装置。
【請求項４】
前記表示生成手段が、前記文字情報検出手段によって前記映像データ内に文字がないと判断した場合には、該映像データ内の所定個所に字幕データの文字を表示するように映像を生成することを特徴とする請求項１ないし３のうちのいずれか１項に記載の携帯端末装置。
【請求項５】
１セグ放送の視聴が可能な携帯端末装置の映像表示方法において、
前記１セグ放送の映像データ内の文字情報を検出し、
前記検出の結果、前記映像データ内に文字があると判断した場合には、該映像データ内の文字の位置を避けた個所に字幕データの文字を表示するように映像を生成する
ことを特徴とする携帯端末装置の映像表示方法。
【請求項６】
前記携帯端末装置が携帯電話であることを特徴とする請求項１ないし４のうちのいずれか１項に記載の携帯端末装置。
【発明の詳細な説明】
【技術分野】
【０００１】
本発明は携帯端末装置に関し、特に、１セグ（ワンセグ）放送を視聴可能な携帯端末装置に関する。
【背景技術】
【０００２】
最近では、携帯電話の普及が目覚ましく、また携帯電話に様々な機能が搭載され始めている。たとえばテレビ放送では、地上デジタル放送の開始に伴い、１セグ（ワンセグ）放送が開始され、携帯電話等の携帯端末装置によってこの１セグ放送の受信、視聴が可能になってきている。
【０００３】
この１セグ放送では、電車やバスの中のような公共の場において音声出力を避ける必要がある場合や、聴覚障害者が１セグ放送を楽しめるように、字幕データを提供し、携帯端末装置において映像とともに字幕を表示可能にしている。
【０００４】
なお、特許文献１には、デジタル放送における音声データや代表画像データを多重化して記録する技術が開示されている。
【０００５】
また、特許文献２には、携帯電話機において、字幕を合成した映像を画面に表示する技術が開示されている。
【０００６】
【特許文献１】特開２００７−７４５２８号公報
【特許文献２】特開２００６−８０６５５号公報
【発明の開示】
【発明が解決しようとする課題】
【０００７】
しかしながら、上述の従来例では以下のような問題があった。
【０００８】
第１の課題は、映像を大きく見るために、画面全体に映像を表示した場合に、１セグの字幕データを表示する際、映像に重ねて表示することになり、元の映像に文字情報が含まれていると、元の映像の文字情報も字幕データの文字も読みづらくなってしまうことである。
【０００９】
従来、１セグ放送の字幕データを映像部分に重ねて表示する際は映像上の下方部分に重ねていた。また、映像に重ねた字幕データが読みづらくないように、少しだけ映像を透過する長方形を表示した上に字幕データを表示したり、字幕データのフォントに縁取りを施し映像部分から浮き出す様な工夫を行ったりしていた。しかしそもそも映像部分に文字情報が表示されている場合は文字が重なり、読みづらかったり、映像部分の字幕データを読みたくても読めなかったりしていた。
【００１０】
第２の課題は、字幕データを重ねる場所を画面の下部なのか上部なのかを設定することができる端末はあるが、文字データが画面上のどこに表示されるかは放送に依存し判らないため、必ずしも最適な状態での視聴ができないことである。
【００１１】
本発明は上記の点にかんがみてなされたもので、１セグ放送の字幕データおよび映像に含まれる文字情報の両方を視認可能で自動的に字幕データの表示位置を変更することができる携帯端末装置を提供することを目的とする。
【課題を解決するための手段】
【００１２】
上記課題を解決するにあたり、本発明は、１セグ放送の視聴が可能な携帯端末装置において、前記１セグ放送の映像データ内の文字情報を検出する文字情報検出手段と、前記文字情報検出手段によって前記映像データ内に文字があると判断した場合には、該映像データ内の文字の位置を避けた個所に字幕データの文字を表示するように映像を生成する表示生成手段とを備えたことを特徴とする。
【００１３】
また本発明は、前記表示生成手段が、前記映像データの表示領域内に前記字幕データの文字を表示することを特徴とする。
【００１４】
また本発明は、前記表示生成手段が、前記映像データの表示領域外に前記字幕データの文字を表示することを特徴とする。
【００１５】
また本発明は、前記表示生成手段が、前記文字情報検出手段によって前記映像データ内に文字がないと判断した場合には、該映像データ内の所定個所に字幕データの文字を表示するように映像を生成することを特徴とする。
【発明の効果】
【００１６】
本発明によれば、１セグ放送の字幕データおよび映像に含まれる文字情報の両方を視認可能で自動的に字幕データの表示位置を変更することができる携帯端末装置を提供することができる。
【００１７】
すなわち、本発明においては、以下の効果を奏する。
【００１８】
第１の効果は映像部分に含まれる文字情報を判別し字幕データの表示位置を変えるので、映像部分の文字情報と重ならずに字幕データを表示できることである。
【００１９】
第２の効果は判別を自動的に行えるので、ユーザは特段の操作をする必要がないことである。
【発明を実施するための最良の形態】
【００２０】
以下、本発明の実施の形態について図面を参照して詳細に説明する。
【００２１】
本発明は、１セグ放送の視聴機能を持つ携帯端末装置において字幕データを映像部分に重ねて表示する際に、表示する場所を自動的に決めるようにしたことを特徴としている。
【００２２】
図１は、本発明による携帯端末装置の一実施の形態の構成を示すブロック図である。
【００２３】
図１において、携帯端末装置は、チューナ１１と、データ解析部１２と、音声デコーダ１３と、字幕生成部１４と、映像デコーダ１５と、表示生成部１６と、スピーカ１７と、モニタ１８と、ビデオＲＡＭ２０と切り出しエンジン２１とを有する文字検出部１９とを備える。
【００２４】
チューナ１１は１セグの放送データを受信し、データ解析部１２に出力する。
【００２５】
データ解析部１２は、受信した放送データを解析し音声データ、字幕データおよび映像データを取り出し、それぞれ音声デコーダ１３、字幕生成部１４、映像デコーダ１５に出力する。
【００２６】
音声デコーダ１３は音声データをデコードし、スピーカ１７に出力する。
【００２７】
字幕生成部１４は字幕データを映像データとし、表示生成部１６に出力する。
【００２８】
映像デコーダ１５は映像データをデコードし、表示生成部１６に出力する。
【００２９】
表示生成部１６は字幕データと映像データとを合成しモニタ１８に出力する。
【００３０】
なお、映像デコーダ１５によってデコードされた映像データは、表示生成部１６のほかに文字検出部１９にも出力される。
【００３１】
文字検出部１９はデコードされた映像データを格納するためのビデオＲＡＭ２０と、映像データから文字情報部分を検出する切り出しエンジンと２１を有して構成され、デコードされた映像データから、映像に含まれた文字の画面内での位置を知ることができる。
【００３２】
次に本実施の形態の動作について図１および図２を参照しながら説明する。
【００３３】
図２は、図１に示した携帯端末装置の動作を示すフローチャートである。
【００３４】
まず、携帯端末装置のチューナ１１は放送データを受信する（ステップＳ１１）。
【００３５】
データ解析部１２は、チューナ１１が受信した放送データの放送波を解析し音声データと字幕データと映像データを抽出する（ステップＳ１２）。
【００３６】
映像デコーダ１５は映像データをデコードする（ステップＳ１３）。
【００３７】
ここで、放送データ内に字幕データがあるかどうかにより、字幕データ表示を行うかどうかを判断する（ステップＳ１４）。
【００３８】
字幕データ表示を行う場合（ステップＳ１４：Ｙｅｓ）、文字検出部１９はデコードされた映像データから、映像上に含まれる文字情報の有無および文字情報がある場合は映像上の位置を検出する（ステップＳ１５）。
【００３９】
判断の手順は概ね次の通りである。
【００４０】
映像デコーダ１５から出力された映像データは、ビデオＲＡＭ２０に格納される。次に切り出しエンジン２１はビデオＲＡＭ２０に格納された映像データから文字情報の特徴を判断し位置を検出する。
【００４１】
映像データに含まれる文字情報の特徴とは、たとえば「文字情報は水平／垂直に同じ大きさで並ぶ」、「文字情報は前景色と背景色の基本的に２色で構成される」といったことである。認識方法は、ＯＣＲの文字認識技術など、様々な既存技術があり、本発明ではこれを特定せず、いずれをも用いることができる。
【００４２】
表示生成部１６は、文字検出部１９が検出した映像中の文字情報の位置から、映像中の文字と字幕とが重ならないように、字幕データを合成する位置を決め、字幕データを映像データに合成してモニタ１８に出力する（ステップＳ１６）。
【００４３】
モニタ１８は表示生成部１６が出力したデータを表示する（ステップＳ１７）。
【００４４】
図３は、図１に示した実施の形態において、映像および字幕を表示する画面の例を示す図である。
【００４５】
図３を参照すると、文字情報の含まれない映像１１１の場合は、字幕データ１１３が映像の下部に合成される（１１４参照）。
【００４６】
一方、文字情報が下部に含まれる映像１１２の場合は、字幕データ１１３は映像の上部に合成される（１１５参照）。
【００４７】
なお、図３では映像データ中の文字情報が映像の下部にあるかないかだけの判断の例を示したが、上部にある場合や、その他の部位にある場合にも、映像中の文字情報と重ならないように字幕データを表示することが可能である。
【００４８】
以上説明したように、本発明においては、以下のような効果を奏する。
【００４９】
第１の効果は映像部分に含まれる文字情報を判別し字幕データの表示位置を変えるので、映像部分の文字情報と重ならずに字幕データを表示できることである。
【００５０】
第２の効果は判別を自動的に行えるので、ユーザは特段の操作をする必要がないことである。
【００５１】
次に本発明の他の実施の形態について説明する。
【００５２】
この他の実施の形態では、図４に示すように字幕を表示する。
【００５３】
図４は、他の実施の形態において、映像および字幕を表示する画面の例を示す図である。
【００５４】
この実施の形態では、映像データ中に文字情報を検出すると、映像データの表示を縮小し、字幕データと重ならないように表示する。
【００５５】
図４を参照すると、文字情報の含まれない映像１１１の場合は、字幕データ１１３が映像に重なるように合成される（１１４参照）。
【００５６】
一方、文字情報が含まれる映像１１２の場合は、映像は縮小され、字幕データ１１３は映像と重ならないように空いた場所に表示される（１１６参照）。
【００５７】
なお、字幕データを表示される場所は、画面の上部および下部等、設定が可能である。
【図面の簡単な説明】
【００５８】
【図１】本発明による携帯端末装置の一実施の形態の構成を示すブロック図である。
【図２】図１に示した携帯端末装置の動作を示すフローチャートである。
【図３】図１に示した実施の形態において、映像および字幕を表示する画面の例を示す図である。
【図４】他の実施の形態において、映像および字幕を表示する画面の例を示す図である。
【符号の説明】
【００５９】
１１  チューナ
１２  データ解析部
１３  音声デコーダ
１４  字幕生成部
１５  映像デコーダ
１６  表示生成部
１７  スピーカ
１８  モニタ
１９  文字検出部
２０  ビデオＲＡＭ
２１  切り出しエンジン
【図１】
2009177502.tif 000003
【図２】
2009177502.tif 000004
【図３】
2009177502.tif 000005
【図４】
2009177502.tif 000006